(57)【要約】【課題】本発明は、調理用の加熱部が２個の誘導加熱コイルである場合、或いは調理用の加熱部が誘導加熱コイルとラジエントヒータの組み合わせである場合のように、調理用の加熱部が複数ある場合において、加熱部の冷却と、誘導加熱コイルの駆動回路の冷却とを、１個の冷却用ファンによって行なうこと、また、加熱調理器が、調理台や流し台にドロップイン方式によって組み込まれる場合、それに適した冷却風の取り込みと、冷却風路の形成ができる構成を提供する。【解決手段】加熱部の通電制御回路及び通電制御回路の放熱部材を備える回路基板が加熱部の下方に横方向配置され、回路基板から外れた位置で本体部の底面に吸気口を備えと共に、本体部の上面後部に排気口を備え、吸気口に対応して下側に吸気部を形成し上側に排気部を形成して１個の軸流冷却用ファンを収納したファン支持部を備え、排気部には、吸気口から吸い込んだ空気を上方の加熱部の下面に供給する第１送風ルートと、放熱部材へ供給する第２送風ルートとに分流する分流部を形成。【選択図】図８
2011171148.tif 000002
【特許請求の範囲】
【請求項１】
本体部の上面に天板を備え、前記天板に対応して前記本体部の内部には、少なくとも一
つの誘導加熱コイルを含む複数の調理用の加熱部を備え、前記加熱部の通電制御回路及び
前記通電制御回路の放熱部材を備える回路基板が前記加熱部の下方に横方向配置され、前
記回路基板から外れた位置で前記本体部の底面に吸気口を備えと共に、前記本体部の上面
後部に排気口を備え、前記吸気口に対応して下側に吸気部を形成し上側に排気部を形成し
て１個の軸流冷却用ファンを収納したファン支持部を備え、前記排気部には、前記吸気口
から吸い込んだ空気を上方の前記加熱部の下面に供給する第１送風ルートと、前記放熱部
材へ供給する第２送風ルートとに分流する分流部を形成した加熱調理器。
【請求項２】
本体部の上面に天板を備え、前記天板に対応して前記本体部の内部には、少なくとも一
つの誘導加熱コイルを含む複数の調理用の加熱部と、前記加熱部の通電制御回路及び前記
通電制御回路の放熱部材を備える回路基板が配置された加熱調理器において、下側に吸気
部を形成し上側に排気部を形成して１個の軸流冷却用ファンを支持したファン支持部と、
前記誘導加熱コイルを支持するよう前記ファン支持部の周囲に立設された支柱と、前記回
路基板を横配置する回路基板配置部と、前記冷却用ファンの送風を前記加熱部へ上昇する
第１送風ルートと前記放熱部材へ流れるよう横方向へ分流する第２送風ルートとに分流す
る分流部とが、合成樹脂製ベース部材に一体に形成されたことを特徴とする加熱調理器。
【請求項３】
前記加熱調理器は、調理台や流し台のような台所設備台にドロップイン方式によって組
み込まれる形態であり、前記吸気口が、前記台所設備台に形成した収納室に臨む位置に形
成されたことを特徴とする請求項１に記載の加熱調理器。
【請求項４】
前記放熱部材は、前記通電制御回路の放熱と、交流を直流に変換する整流回路の放熱と
を行なうことを特徴とする請求項１乃至３のいずれかに記載の加熱調理器。
【発明の詳細な説明】
【技術分野】
【０００１】
本発明は、天板の下方に配置した誘導加熱コイルへの通電制御に係る制御部及び誘導加
熱コイルの冷却を図る加熱調理器に関する。
【背景技術】
【０００２】
２個の誘導加熱コイル２７、２８と中央ヒータ２９とを備えた加熱調理器があり、１個
のファンモータによって、２個の誘導加熱コイル２７、２８に対応するインバータユニッ
ト３０を冷却する技術がある（特許文献１参照）。
【０００３】
この特許文献１のものは、２個の誘導加熱コイル２７、２８に対応するインバータユニ
ット３０の４個の放熱部材３２が、プリント基板３１上に設けられ、４個の放熱部材３２
を上方から覆う状態で、冷却ダクト３５が配置されている。冷却ダクト３５の右後部にフ
ァンケーシング３６が一体に設けられ、ファンケーシング３６内に冷却ファン３７が配置
され、ファンケーシング３６の吸入口３６ｂが、加熱調理器の上面後部に形成された吸気
口４６に連通し、吸気口４６に併設されるように加熱調理器の上面後部に排気口４７が形
成されている。
【０００４】
この構成において、誘導加熱コイル２７，２８の一方または双方が使用される時には、
ファンモータ３８が通電される。このファンモータ３８により冷却ファン３７が回転され
ると、冷却ファン３７の送風作用により、外部の空気が、吸気口４６から吸気ダクト４１
を通し、ケース２６内の吸入口カバー４０内を通ってファンケーシング３６内に吸入され
、その空気は、ファンケーシング３６の吐出口３６ａから冷却ダクト３５内に向けて吐出
される。冷却ダクト３５内に吐出された空気は、インバータユニット３０を冷却しながら
冷却ダクト３５内を流れ、冷却ダクト３５の左側部の開口部からケース２６内に吐出され
、後部側と前部側とに分かれて、通風抵抗が少ない後部側は排気口４７から外部へ排出さ
れ、前部側は前面排出口５２からケース２６外へ排出される。
【先行技術文献】
【特許文献】
【０００５】
【特許文献１】特開平１１−８７０３９号公報
【発明の概要】
【発明が解決しようとする課題】
【０００６】
このような加熱調理器においては、誘導加熱コイル２７、２８及び中央ヒータ２９に通
電しているときは、その周辺も高温となるため、この冷却も必要である。特許文献１のも
のは、１個のファンモータによって、２個の誘導加熱コイル２７、２８に対応するインバ
ータユニット３０を冷却するものであるが、誘導加熱コイル２７、２８及び中央ヒータ２
９の冷却をどのようにするかは考慮されていない。
【０００７】
本発明は、加熱調理器が、例えば、調理用の加熱部が２個の誘導加熱コイルである場合
、或いは調理用の加熱部が誘導加熱コイルとラジエントヒータの組み合わせである場合の
ように、調理用の加熱部が複数ある場合において、この加熱部の冷却と、誘導加熱コイル
の通電制御回路の冷却とを、１個の冷却用ファンによって行なうようにするものである。
【０００８】
また本発明は、このような加熱調理器において、冷却用ファンを収納するファン支持部
と、誘導加熱コイルの支持と、誘導加熱コイルの通電制御回路及び放熱部材を含む回路基
板の支持と、冷却用ファンからの送風を誘導加熱コイル側と放熱部材側とに分流する分流
機構をベース部材に備えたユニットとし、これを加熱調理器の本体部内に取り付けること
により、冷却通路の形成と組み立ての容易さを達成するものである。
【０００９】
更に本発明は、このような加熱調理器が、調理台や流し台のような台所設備部にドロッ
プイン方式によって組み込まれる形態を採る場合、それに適した冷却風の取り込みと、冷
却風路の形成ができる構成を提供するものである。
【課題を解決するための手段】
【００１０】
第１発明は、本体部の上面に天板を備え、前記天板に対応して前記本体部の内部には、
少なくとも一つの誘導加熱コイルを含む複数の調理用の加熱部を備え、前記加熱部の通電
制御回路及び前記通電制御回路の放熱部材を備える回路基板が前記加熱部の下方に横方向
配置され、前記回路基板から外れた位置で前記本体部の底面に吸気口を備えと共に、前記
本体部の上面後部に排気口を備え、前記吸気口に対応して下側に吸気部を形成し上側に排
気部を形成して１個の軸流冷却用ファンを収納したファン支持部を備え、前記排気部には
、前記吸気口から吸い込んだ空気を上方の前記加熱部の下面に供給する第１送風ルートと
、前記放熱部材へ供給する第２送風ルートとに分流する分流部を形成した加熱調理器であ
る。
【００１１】
第２発明は、本体部の上面に天板を備え、前記天板に対応して前記本体部の内部には、
少なくとも一つの誘導加熱コイルを含む複数の調理用の加熱部と、前記加熱部の通電制御
回路及び前記通電制御回路の放熱部材を備える回路基板が配置された加熱調理器において
、下側に吸気部を形成し上側に排気部を形成して１個の軸流冷却用ファンを支持したファ
ン支持部と、前記誘導加熱コイルを支持するよう前記ファン支持部の周囲に立設された支
柱と、前記回路基板を横配置する回路基板配置部と、前記冷却用ファンの送風を前記加熱
部へ上昇する第１送風ルートと前記放熱部材へ流れるよう横方向へ分流する第２送風ルー
トとに分流する分流部とが、合成樹脂製ベース部材に一体に形成されたこと。
【００１２】
第３発明は、第１発明において、前記加熱調理器は、調理台や流し台のような台所設備
台にドロップイン方式によって組み込まれる形態であり、前記吸気口が、前記台所設備台
に形成した収納室に臨む位置に形成されたこと。
【００１３】
第４発明は、第１発明乃至第３発明のいずれかにおいて、前記放熱部材は、前記通電制
御回路の放熱と、交流を直流に変換する整流回路の放熱とを行なうこと。
【発明の効果】
【００１４】
本発明によって、誘導加熱コイルを含む複数の調理用の加熱部の冷却と、通電制御回路
の冷却が、単一ファンによって良好に行えるものとなる。また、放熱部材が、通電制御回
路の放熱と、交流を直流に変換する整流回路の放熱とを行なう構成によって、これらの冷
却が、単一ファンによって、誘導加熱コイルを含む複数の調理用の加熱部の冷却と同時に
良好に行えるものとなる。
【００１５】
また、本発明は、加熱部の通電制御回路と通電制御回路の放熱部材を備える回路基板の
支持部と、誘導加熱コイルの支持部と、冷却用ファンを支持するケーシング部と、冷却用
ファンからの送風を誘導加熱コイル側と放熱部材側とに分流する分流部とを、ベース部材
に一体化したユニットとしものであるため、各部品を加熱調理器の本体部内の所定位置に
組み込む作業も簡素化され、単一ファンによる送風ルートの確定が容易となる。
【図面の簡単な説明】
【００１６】
【図１】本発明に係る加熱調理器を台所設備台に組み込む関係を示す斜視図である。
【図２】本発明に係る加熱調理器を台所設備台に組み込んだ状態を示す斜視図である。
【図３】本発明に係る加熱調理器の天板を取り外した内部を示す斜視図である。
【図４】本発明に係る加熱調理器の本体部と回路基板を取り外した冷却ユニットとの関係を示す分解斜視図である。
【図５】本発明に係る冷却ユニットと誘導加熱コイルの関係を示す分解斜視図である。
【図６】本発明に係る冷却ユニットの側面図である。
【図７】本発明に係る冷却ユニットの上面図である。
【図８】図７のＡ−Ａ断面図である。
【図９】本発明に係る冷却ユニットのベース部材の斜視図である。
【図１０】本発明に係る誘導加熱コイル及びラジエントヒータの通電制御回路である。
【発明を実施するための形態】
【００１７】
本発明では、本体部の上面に天板を備え、前記天板に対応して前記本体部の内部には、
少なくとも一つの誘導加熱コイルを含む複数の調理用の加熱部を備え、前記加熱部の通電
制御回路及び前記通電制御回路の放熱部材を備える回路基板が前記加熱部の下方に横方向
配置され、前記回路基板から外れた位置で前記本体部の底面に吸気口を備えと共に、前記
本体部の上面後部に排気口を備え、前記吸気口に対応して下側に吸気部を形成し上側に排
気部を形成して１個の軸流冷却用ファンを収納したファン支持部を備え、前記排気部には
、前記吸気口から吸い込んだ空気を上方の前記加熱部の下面に供給する第１送風ルートと
、前記放熱部材へ供給する第２送風ルートとに分流する分流部を形成した加熱調理器であ
る。
【００１８】
本発明は、前記加熱部が、例えば、２個の誘導加熱コイルである場合、或いは誘導加熱
コイルとラジエントヒータの組み合わせである場合のように、調理用の加熱部が複数であ
る場合であり、以下に示す実施例では、加熱部が、誘導加熱コイルとラジエントヒータの
組み合わせである場合について記載するものとする。
【実施例１】
【００１９】
以下、本発明の実施例として、一つの誘導加熱コイル４と一つのラジエントヒータ５を
備えた加熱調理器１の実施形態について、添付図面を参照して詳細に説明する。図１は、
本発明の第１実施形態に係る加熱調理器１が台所設備台７に取り付けられる状態を示す斜
視図である。加熱調理器１は、システムキッチンや、調理台や流し台のような台所設備台
７に、ドロップイン方式によって組み込まれる形態であり、略矩形状ケースを形成した本
体部２と、本体部２の上面部に取り付けた天板枠６によって支持された耐熱ガラス製の天
板３を備え、本体部２の内部には、天板３に対応してその下方空間に前後に間隔を保って
設置された熱源となる誘導加熱コイル４及びラジエントヒータ５を備えている。本体部２
は、底壁２Ａと周囲四方を囲むよう底壁２Ａに取り付けた側壁２Ｂによって上面開口の略
矩形状ケースを形成している。また、耐熱ガラス製の天板３は、本体部２の上面開口を覆
うように側壁２Ｂにネジにて取り付けた天板枠６によって、周縁部が支持された状態であ
る。
【００２０】
誘導加熱コイル４及びラジエントヒータ５にそれぞれ対応する天板３には、鍋等の調理
容器を載置する場所を明示するために、円形状の調理容器載置部８及び９が印刷などによ
って表示されている。実施例では、誘導加熱コイル４は、２００ボルト、１．５Ｋｗの発
熱量のものであり、ラジエントヒータ５は、２００ボルト、１．２Ｋｗの発熱量のもので
あるが、これに限定されない。
【００２１】
図示の台所設備台７は流し台７の形態で示しており、シンク１０と横並びに加熱調理器
１の本体部２が落とし込まれる挿入孔１１が、台所設備台７（流し台７）の上面板７Ａを
貫通形成されている。これによって、挿入孔１１に本体部２を落とし込む、所謂ドロップ
イン方式によって、挿入孔１１の周縁の上面板７Ａに天板枠６の下側が係止する状態に保
持される。この保持状態で、加熱調理器１は、本体部２をボルトネジやその他の手段によ
って、外れないように台所設備台７（流し台７）に固定される。
【００２２】
台所設備台７（流し台７）の上面板７Ａの下方は、物品収納空間とするために、シンク
９の下側の物品収納空間１２Ｂの前面は、開閉扉８Ａ、８Ｂで開閉可能であり、加熱調理
器１の下側の物品収納空間１２Ａの前面は、開閉扉８Ｃで開閉可能である。上記のように
、挿入孔１１にドロップインされた加熱調理器１は、本体部２の底壁２Ａが物品収納空間
１２Ａの上部に露出状態である。
【００２３】
加熱調理器１は、天板枠６の前部に、誘導加熱コイル４及びラジエントヒータ５の通電
制御や発熱制御等を行うための操作スイッチ部１３とそれに対応したＬＥＤ表示部１４等
を備えた操作部１５を備え、また、天板枠６の後部には、後述の冷却後の排気を行なうた
めの排気部１６を形成する多数の排気孔１７Ａを形成した排気カバー１７が取り付けられ
ている。
【００２４】
本体部２内には、誘導加熱コイル４及びラジエントヒータ５が配置されている。ラジエ
ントヒータ５は、上面開口の耐熱性の支持枠５Ａ内に取り付けられ、底壁２Ａから立ち上
がるように取り付けた支持台１８の上面に、支持枠５Ａを複数個所でコイルバネの支持部
材１９によって支持され、支持枠５Ａが耐熱ガラス製の天板３の下面へ当接するように、
上方へ付勢されている。
【００２５】
図４乃至図８に示すように、本発明では、誘導加熱コイル４及びラジエントヒータ５の
通電制御回路２６と通電制御回路２６の放熱部材２７を備える回路基板２５の支持部２４
と、誘導加熱コイル４の支持部２１と、冷却用ファン２３を支持するケーシング部２２と
、冷却用ファン２３からの送風を誘導加熱コイル４側と放熱部材２７側とに分流する分流
部４０とを、ベース部材２０に一体化した冷却ユニットＲＵとし、ベース部材２０を本体
部２内にネジ止めやその他の取り付け手段によって取り付けることにより、この冷却ユニ
ットＲＵが本体部２内の所定位置に固定される構成を採用している。
【００２６】
冷却ユニットＲＵを本体部２内の所定位置に固定する取り付け手段の一つを図４及び図
９に示す。これにおいて、本体部２は底壁２Ａ及び側壁２Ｂが金属板で構成され、本体部
２の底壁２Ａとベース部材２０には、相対的な横方向（図４に示すＲ方向）のスライドに
よって相互に嵌り合う本体部側係合部５０及びベース部材側係合部５１と、ベース部材２
０の端縁の補強フランジに形成した取り付けフランジ５２と、両係合部５０及び５１が嵌
まり合った状態で取り付けフランジ５２が載置されるよう本体部２の底壁２Ａの切り起こ
しにて形成した固定部５３を備え、取り付けフランジ５２と固定部５３を貫通するネジの
締め付けにより、本体部２の底壁２Ａにベース部材２０を固定する。
【００２７】
誘導加熱コイル４は、合成樹脂製の支持枠４Ａの上面に取り付けられ、本体部２の底壁
２Ａに取り付けた合成樹脂製ベース部材２０から立設する複数の支柱２１に支持されてい
る。この支持の構成は、ベース部材２０から立設する複数の支柱２１に、コイルバネの支
持部材２１Ａによって支持され、支持枠４Ａの周縁フランジが耐熱ガラス製の天板３の下
面へ当接するように、上方へ付勢されている。
【００２８】
合成樹脂製ベース部材２０は、周囲に補強用リブ等を形成した略平板状であり、下側に
吸気部２２Ａを形成し上側に排気部２２Ｂを形成して１個の軸流冷却用ファン２３を収納
状態に支持するように枠状に形成されたファン支持部２２と、誘導加熱コイル４を支持す
るようファン支持部２２の周囲に立設した複数の支柱２１と、回路基板２５を略水平状態
となるように横配置する回路基板配置部２４と、冷却用ファン２３からの送風を誘導加熱
コイル４側と放熱部材２７側とに分流する分流部４０とが一体に形成された形態である。
【００２９】
冷却用ファン２３は、軸流ファンであり、回転中心部に電動機２３Ａが収納され、その
周囲に電動機２３Ａによって回転するプロペラが形成された構成である。冷却用ファン２
３は、下側が吸気部２２Ａに連通し上側が排気部２２Ｂに連通するよう上下開放のファン
ケーシング２３Ｋに回転可能に支持された形態である。このため、ファンケーシング２３
Ｋがファン支持部２２内に収納された状態で、ファン支持部２２の一部に形成された弾性
フック片２２Ｆの上部カギ部によって、ファンケーシング２３Ｋがファン支持部２２内に
保持された状態を保つ。
【００３０】
回路基板２５は、誘導加熱コイル４及びラジエントヒータ５の通電制御回路２６と、通
電制御回路２６の放熱部材２７を備える。誘導加熱コイル４に係る通電制御回路２６は、
図１０に示すように、ＡＣ２００Ｖ電源２８が整流回路２９及び平滑回路３０によって所
定の直流に変換され、この直流が誘導加熱コイル４に印加される。誘導加熱コイル４には
並列に共振コンデンサ３１が接続されて並列共振回路３２を構成し、並列共振回路３２に
共振電流を生成するためにスイッチング素子３３が接続され、これらがインバータ回路３
４を構成している。スイッチング素子３３は、操作スイッチ部１３のスイッチ操作に基づ
き動作するマイクロコンピュータを含む制御回路３５によって制御される。このため、ス
イッチング素子３３のスイッチング動作によって、誘導加熱コイル４の発熱状態が制御さ
れる。
【００３１】
また、ラジエントヒータ５の通電は、操作スイッチ部１３のスイッチ操作に基づき動作
する制御回路３６によって制御される。ラジエントヒータ５の通電は、整流回路２９及び
平滑回路３０によって変換された直流が印加される構成でもよい。
【００３２】
回路基板２５は、誘導加熱コイル４及びラジエントヒータ５の通電制御回路２６を構成
する各種の電子部品（図示せず）の取り付けと、これらの配線（図示せず）がプリントさ
れた構成である。回路基板２５は、更に、通電制御回路２６の放熱部材２７を備える。放
熱部材２７は、アルミニウムなどで構成され、通電制御回路２６の中で特に発熱の大きい
部品の放熱を行なうためのものであり、この発熱の大きい部品として、整流回路２９のダ
イオード２９Ａと、スイッチング素子３３が該当する。
【００３３】
整流回路２９のダイオード２９Ａとスイッチング素子３３の発熱が放熱部材２７へ伝達
されるようにするために、ダイオード２９Ａとスイッチング素子３３が、回路基板２５の
上面に取り付けられ、このダイオード２９Ａとスイッチング素子３３の上面に、放熱部材
２７の底面が熱伝導関係に取り付けられている。その取り付けの一つとして、共通のボル
トとナットによって、ダイオード２９Ａとスイッチング素子３３が、回路基板２５の上面
に取り付けられている。
【００３４】
ファン支持部２２は、冷却用ファン２３による送風が、下側の吸気部２２Ａから吸い込
んだ空気が上側の排気部２２Ｂへ流れるとき、冷却用ファン２３の送風を誘導加熱コイル
４へ上昇する第１送風ルート４１と、放熱部材２７へ流れるよう横方向へ分流する第２送
風ルート４２とに分流する分流部４０を一体形成している。分流部４０は、第１送風ルー
ト４１に対しては何も存在せず、一方、第２送風ルート４２を形成するように、冷却用フ
ァン２３の上方において、ファン支持部２２の一部が冷却用ファン２３の一部に被さる位
置に庇２２Ｐを形成している。
【００３５】
放熱部材２７は、第２送風ルート４２を流れる冷却用ファン２３からの送風によって冷
却されるようにするために、ファン支持部２２に近接した位置に配置され、第２送風ルー
ト４２を流れる冷却用ファン２３からの送風が、略回路基板２５の上面に沿って流れるよ
うに、下側のベース板２７Ｂの上面に複数の放熱フィン２７Ａを並列配置に形成している
。
【００３６】
本体部２の底壁２Ａには、底壁２Ａを貫通形成した吸気口３７を有しており、本体部２
内への冷却ユニットＲＵの取り付けは、吸気部２２Ａが吸気口３７に対応する状態で、ベ
ース部材２０を本体部２の底壁２Ａにネジ止め等の手段によって取り付けることにより達
成される。吸気口３７は、物品収納空間１２Ａの上部に露出状態であるため、物品収納空
間１２Ａに収納される物品によって塞がれることが懸念されるが、その解決のために、図
４に一部断面で示すように、吸気口３７は、底壁２Ａの一部を上方へ凸状にプレス加工し
た部分に多数の孔を貫通形成した構成である。これによって、吸気口３７の全てが塞がれ
ない限り、冷却用ファン２３への吸気は良好に行なわれることとなる。
【００３７】
上記のような構成において、冷却用ファン２３の運転によって、物品収納空間１２Ａの
空気は、吸気口３７から吸い上げられ、図８に示すように、冷却用ファン２３からの送風
は、一部が庇２２Ｐに衝突して、第２送風ルート４２によって放熱部材２７へ流れ、他の
部分はそのまま上昇する第１送風ルート４１によって、誘導加熱コイル４の下面に衝突し
、一部が誘導加熱コイル４と支持枠４Ａを貫通し、誘導加熱コイル４を冷却する。誘導加
熱コイル４を冷却した空気は、天板３の下面に沿って横方向へ流れてラジエントヒータ５
を冷却した後、本体部２の側壁２Ｂの一部である背壁２Ｂに形成した排気孔３８から背壁
２Ｂの裏側へ流れ、背壁２Ｂの裏側に形成した排気ダクト３９から、排気部１６の排気孔
１７Ａを通って放出される。
【００３８】
一方、第２送風ルート４２によって放熱部材２７へ流れた空気は、放熱部材２７を冷却
しつつ、回路基板２５の上面に沿って横方向へ流れた後、本体部２の側壁２Ｂの一部であ
る背壁２Ｂに形成した排気孔３８から背壁２Ｂの裏側へ流れ、背壁２Ｂの裏側に形成した
排気ダクト３９から、排気部１６の排気孔１７Ａを通って放出される。
【００３９】
実施例では、冷却用ファン２３からの送風が分流部４０によって分流する割合は、第１
送風ルート４１が３分の２、第２送風ルート４２が３分の１の割合に構成することにより
、誘導加熱コイル４及びラジエントヒータ５の冷却と、通電制御回路２６のダイオード２
９Ａとスイッチング素子３３が熱破壊しない温度にまで低下させることができる、良好な
冷却効果を得ているが、加熱調理器１の構成によって、これに限定されるものではない。
【００４０】
このようにして、誘導加熱コイル４を含む複数の調理用の加熱部の冷却と、通電制御回
路２６の冷却が、単一ファン２３によって良好に行えるものとなる。また、放熱部材２７
が、通電制御回路２６の放熱と、交流を直流に変換する整流回路２９の放熱とを行なう構
成によって、これらの冷却が、単一ファン２３によって、誘導加熱コイル４を含む複数の
調理用の加熱部の冷却と同時に良好に行えるものとなる。
【００４１】
また、誘導加熱コイル４及びラジエントヒータ５の通電制御回路２６と通電制御回路２
６の放熱部材２７を備える回路基板２５の支持部２４と、誘導加熱コイル４の支持部２１
と、冷却用ファン２３を支持するケーシング部２２と、冷却用ファン２３からの送風を誘
導加熱コイル４側と放熱部材２７側とに分流する分流部４０とを、ベース部材２０に一体
化したユニットＲＵとしものであるため、各部品を加熱調理器１の本体部２内の所定位置
に組み込む作業も簡素化され、単一ファン２３による送風ルートの確定が容易となる。
【産業上の利用可能性】
【００４２】
本発明に係る加熱調理器は、上記実施例に示した構成に限定されず、種々の形態のもの
に適用できるものであり、本発明の技術範囲において種々の形態を包含するものである。
【符号の説明】
【００４３】
１・・・・・加熱調理器
２・・・・・本体部
２Ａ・・・・本体部の底壁
３・・・・・天板
４・・・・・誘導加熱コイル
５・・・・・ラジェントヒータ
６・・・・・天板枠
７・・・・・台所設備台（流し台）
７Ａ・・・・上面板
８、９・・・調理容器載置部
１０・・・・シンク
１１・・・・挿入孔
１２Ａ、１２Ｂ・・・・物品収納空間
１３・・・・操作スイッチ部
１６・・・・排気部
１７・・・・排気カバー
１９・・・・コイルバネの支持部材
２０・・・・ベース部材
２１・・・・支柱
２１・・・・コイルバネの支持部材
２２・・・・ファン支持部
２２Ａ・・・吸気部
２２Ｂ・・・排気部
２２Ｐ・・・庇部
２３・・・・軸流冷却ファン
２４・・・・回路基板配置部
２５・・・・回路基板
２６・・・・通電制御回路
２７・・・・放熱部材
２８・・・・ＡＣ２００Ｖ電源
２９・・・・整流回路
３０・・・・平滑回路
３１・・・・共振コンデンサ
３２・・・・並列共振回路
３３・・・・スイッチング素子
３４・・・・インバータ回路
３５・・・・制御回路
３６・・・・制御回路
３７・・・・吸気口
３８・・・・排気孔
３９・・・・排気ダクト
４０・・・・分流部
４１・・・・第１送風ルート
４２・・・・第２送風ルート
【図１】
2011171148.tif 000003
【図２】
2011171148.tif 000004
【図３】
2011171148.tif 000005
【図４】
2011171148.tif 000006
【図５】
2011171148.tif 000007
【図６】
2011171148.tif 000008
【図７】
2011171148.tif 000009
【図８】
2011171148.tif 000010
【図９】
2011171148.tif 000011
【図１０】
2011171148.tif 000012